(57)【要約】【課題】後軸の後端部にヒケを発生させず、後軸の外観をデザインする上での自由度を増加させ、さらに、先軸と後軸との円滑な螺合操作を可能にする。【解決手段】軸筒２が、互いに螺合可能に構成された先軸３と後軸４とからなる。前記軸筒２内にレフィル５が収容される。前記レフィル５の先端部に、先軸３の内壁と係止する係止壁部を設ける。前記レフィル５の後端部に、径方向に弾性変形可能な複数の突片９４を設ける。前記突片９４を、後軸４の内壁の押圧壁部に圧接させる。前記押圧壁部が、軸方向に延びる複数本のリブ４２からなる。前記リブ４２を、合成樹脂の射出成形体からなる後軸４の内壁に一体に連設する。前記各々の突片９４の外周面が、前記複数本のリブ４２の少なくとも１本に圧接する。【選択図】  図１
2004148617.tif 000002
【特許請求の範囲】
【請求項１】
互いに螺合可能に構成された先軸と後軸よりなる軸筒と、該先軸の先端孔より外部に突出されるペン先を備え且つ該軸筒内に収容されるレフィルとからなり、前記レフィルの先端部に、前記先軸の内壁と係止する係止壁部を設け、前記レフィルの後端部に、径方向に弾性変形可能な複数の突片を設け、前記突片を、前記後軸の内壁の押圧壁部に圧接させた筆記具であって、前記押圧壁部が軸方向に延びる複数本のリブからなり、前記リブを、合成樹脂の射出成形体からなる後軸の内壁に一体に連設したことを特徴とする筆記具。
【請求項２】
前記各々の突片の外周面が、前記複数本のリブの少なくとも１本に圧接してなる請求項１記載の筆記具。
【請求項３】
前記突片の外周面の側縁部に、前記リブとの周方向の引っ掛かりを防止する面取り部を設けた請求項１または２記載の筆記具。
【発明の詳細な説明】
【０００１】
【発明の属する技術分野】
本発明は、筆記具に関する。さらに詳細には、互いに螺合可能に構成された先軸と後軸よりなる軸筒と、該軸筒内に収容されるレフィルとからなる筆記具に関する。
【０００２】
【従来の技術】
従来、例えば、特許文献１には、互いに螺合可能に構成された先軸と後軸よりなる軸筒と、該先軸の先端孔より外部に突出されるペン先を備え且つ該軸筒内に収容されるレフィルとからなり、前記レフィルの先端部に、前記先軸の内壁と係止する係止壁部を設け、前記レフィルの後端部に、前記後軸の内壁と圧接する弾性変形部を設け、前記弾性変形部が、レフィル後端から後方に突出する、径方向に弾性変形可能な複数の突片からなることを特徴とする筆記具が記載されている。さらに、前記特許文献１には、後軸が合成樹脂の射出成形よりなることが記載されるとともに、後軸の後端部内面に、突片を径方向内方へ押圧する傾斜面状の押圧壁部を形成することが記載されている。
【０００３】
【特許文献１】
特開２００２−２８３７８４号
【０００４】
【発明が解決しようとする課題】
前記特許文献１に記載された筆記具は、後軸の内面に設けた傾斜面状の押圧壁部が円錐面である。そのため、後軸を合成樹脂の射出成形により得る場合、押圧壁部後方の後軸の後端部の肉厚が、後軸の前方部分の肉厚より厚くなり、後軸の後端部の外面にヒケが生じ、外観性が損なわれるおそれがある。また、前記ヒケを防止するために、後軸の後端部の肉厚を均一にすることも考えられるが、この場合、後軸の後端部の内径の小径化に伴い、後軸の後端部の外径を小径化せざるを得ず、軸筒の後端部の外観をデザインする上での自由度が減少する。
【０００５】
本発明は、前記従来の問題点を解決するものであって、後軸の後端部内壁に、レフィル後端部の突片が圧接するための押圧壁部を設けたにもかかわらず、後軸の後端部にヒケを発生させず、後軸の外観をデザインする上での自由度が増し、さらに、先軸と後軸との円滑な螺合操作が可能な筆記具を提供しようとするものである。
【０００６】
【課題を解決するための手段】
〔１〕本発明は、互いに螺合可能に構成された先軸３と後軸４よりなる軸筒２と、該先軸３の先端孔３４より外部に突出されるペン先６を備え且つ該軸筒２内に収容されるレフィル５とからなり、前記レフィル５の先端部に、前記先軸３の内壁と係止する係止壁部を設け、前記レフィル５の後端部に、径方向に弾性変形可能な複数の突片９４を設け、前記突片９４を、前記後軸４の内壁の押圧壁部に圧接させた筆記具１であって、前記押圧壁部が軸方向に延びる複数本のリブ４２からなり、前記リブ４２を、合成樹脂の射出成形体からなる後軸４の内壁に一体に連設したこと（請求項１）を要件とする。
【０００７】
前記請求項１の「押圧壁部が軸方向に延びる複数本のリブ４２からなり、前記リブ４２を、合成樹脂の射出成形体からなる後軸４の内壁に一体に連設したこと」により、合成樹脂の射出成形体からなる後軸４の内面に押圧壁部を形成したにもかかわらず、後軸４の後端部における肉厚変動箇所を最小限にしてヒケの発生を抑えることができる。その結果、後軸４の後端部の自由な外観形状のデザインが可能となる。
【０００８】
〔２〕前記請求項１の筆記具１において、前記各々の突片９４の外周面が、前記複数本のリブ４２の少なくとも１本に圧接してなること（請求項２）が好ましい。
【０００９】
前記請求項１において、押圧壁部が複数本のリブ４２よりなることから、突片９４とリブ４２が圧接した際、突片９４がリブ４２相互間に入り込み、先軸３と後軸４との螺合操作時のネジ締め力を増加させ、螺合操作が困難となるおそれがある。
【００１０】
しかし、前記請求項２の「各々の突片９４の外周面が、前記複数本のリブ４２の少なくとも１本に圧接してなること」により、突片９４とリブ４２が圧接した際、突片９４がリブ４２相互間に入り込むことを防止でき、先軸３と後軸４との螺合操作時のネジ締め力が増加することなく、円滑な螺合操作が可能となる。
【００１１】
〔３〕前記請求項１または２の筆記具１において、前記突片９４の外周面の側縁部に、前記リブ４２との周方向の引っ掛かりを防止する面取り部９５を設けること（請求項３）が好ましい。
【００１２】
前記請求項１において、押圧壁部が複数本のリブ４２よりなることから、突片９４とリブ４２が圧接した際、突片９４の外周面の側縁部が周方向（即ち回転方向）においてリブ４２に引っ掛かり、先軸３と後軸４との螺合操作時のネジ締め力を増加させ、螺合操作が困難となるおそれがある。
【００１３】
しかし、前記請求項３の「突片９４の外周面の側縁部に、前記リブ４２との周方向の引っ掛かりを防止する面取り部９５を設けること」により、突片９４とリブ４２を圧接させながら、先軸３と後軸４とを螺合操作（即ち回転操作）させる過程で、突片９４の側縁部がリブ４２に周方向に引っ掛かることを防止でき、先軸３と後軸４との螺合操作時のネジ締め力が増加することなく、円滑な螺合操作が可能となる。
【００１４】
【発明の実施の形態】
本発明の実施の形態を図面に従って説明する。
【００１５】
本発明の一実施例を図１〜図３に示す。本実施例の筆記具１は、互いに螺合可能な先軸３と後軸４とからなる軸筒２と、該軸筒２内に交換可能に収容されるレフィル５とからなる。
【００１６】
・先軸
前記先軸３は、合成樹脂（例えば、ポリプロピレン）の射出成形により得られる円筒体である。前記先軸３の外面には、先細状の先端部３１と、該先端部３１の後方に連設される把持部３２と、該把持部３２の後方に連設される雄ねじ部３３とが形成される。前記先細状の先端部３１の先端には先端孔３４が開口され、前記先端孔３４から、軸筒２内部に収容したレフィル５のペン先６が突出される。
【００１７】
前記先軸３の内面には、レフィル５の先端部３１に設けた係止壁部が当接し且つレフィル５の前方移動を阻止する規制壁部が形成される。前記規制壁部は、軸方向に延びる複数の板状リブ３５からなり、前記板状リブ３５の相互間に軸方向の通気路が形成される。
【００１８】
・後軸
前記後軸４は、合成樹脂（例えば、ポリカーボネート）の射出成形により得られる有底円筒体である。前記後軸４の先端開口部の内面には、前記先軸３の雄ねじ部３３が螺合可能な雌ねじ部４１が形成される。さらに、前記後軸４の後端部内壁には、軸方向に延びる複数本（具体的には８本）のリブ４２（押圧壁部）が一体に突設される。前記リブ４２により押圧壁部を構成したことから、後軸４の後端部の肉厚変動を小さく抑え、後軸４の外面にヒケを発生させることがないため、後軸４の後端部の外径を小径にする必要がなくなる。その結果、後軸４の後端部の自由な外観デザインが可能となる。
【００１９】
・リブ
前記複数本のリブ４２は、後軸４の内面に周方向等間隔に配置される。前記各々のリブ４２の先端部は、傾斜状（例えば、テーパ状、曲面状等）、即ち、突片９４との圧接量が増加するに従って、突片９４の径方向内方への弾性変形量が増加する形状となっている。
【００２０】
また、前記各々のリブ４２の後端部は、後軸４の底壁と連設されている。それにより、アンダーカットが存在せず射出成形が容易であるとともに、リブ４２の強度が向上し、突片９４と強く圧接した際に、リブ４２が折れ曲がることを防止できる。
【００２１】
・レフィル
レフィル５は、ペン先６と、該ペン先６の後部が圧入保持されるペン先保持筒７と、該ペン先保持筒７の後部７２が先端開口部に圧入固着されるインキ収容筒８と、該インキ収容筒８の後端開口部に圧入固着される尾栓９とからなる。前記インキ収容筒８の内部には、インキ８１（例えば、低粘度の水性インキまたは水性ゲルインキ）と該インキ８１の消費に伴って前進するグリス状の追従体８２が充填される。
【００２２】
・ペン先
前記ペン先６は、金属製パイプ（例えば、ステンレス鋼製パイプ）の先端部を内方へ押圧変形させることにより、先端縁部とボール受け座とを形成し、前記先端縁部とボール受け座との間（即ちボール抱持部）に、ボールを回転可能に抱持してなるボールペンチップである。尚、前記ボールペンチップは、ボール受け座を切削加工により形成するタイプでもよい。
【００２３】
・ペン先保持筒
前記ペン先保持筒７は、合成樹脂（例えば、ポリプロピレン）の射出成形により得られる筒状体である。前記ペン先保持筒７は、ペン先６を保持する先細状の前部７１と、インキ収容筒８の先端開口部に圧入される後部７２と、該前部７１と該後部７２との間に形成され、インキ収容筒８の先端面に当接する鍔部７３とが一体に連設されてなる。
【００２４】
前記ペン先保持筒７の鍔部７３の前面は、レフィル５を軸筒２内に収容した際、先軸３の内面の板状リブ３５（即ち規制壁部）と軸方向に係止する係止壁部となる。
【００２５】
前記ペン先保持筒７の前部７１外面には、軸方向に延びる複数本のリブ７４が等間隔に形成される。前記リブ７４が先軸３の先端孔３４内面に圧接され、先端孔３４内面とペン先保持筒７外面との間に通気路が形成される。また、前記ペン先保持筒７の鍔部７３（即ち係止壁部）には、複数の径方向の溝７５が等間隔に形成され、鍔部７３と板状リブ３５（即ち規制壁部）とが当接した際、その当接箇所において通気路が形成される。
【００２６】
・尾栓
前記尾栓９は、合成樹脂（例えば、ポリプロピレン）の射出成形により得られる筒状体である。前記尾栓９の外面には、小径部９１と、該小径部９１の後方に連設され且つインキ収容筒８の後端開口部内面に圧入される大径部９２と、該大径部９２の後方に連設され且つインキ収容筒８の後端面と当接する環状の鍔部９３と、該鍔部９３より後方に一体に突設される複数本（具体的には３本）の突片９４（即ち弾性変形部）とが一体に連設されてなる。また、前記尾栓９の軸心には、空気孔９６が軸方向に貫設され、それにより、インキ収容筒８内の追従体の後方の空間とインキ収容筒８の外部とが通気可能に連通される。
【００２７】
・突片
前記突片９４は、軸心の空気孔９６の周りに等間隔に配置される。前記各々の突片９４の外周面は、円周面状となっている。前記各々の突片９４の外周面が、後軸４の内面の複数本のリブ４２の傾斜状の先端部に圧接され、前記突片９４が径方向内方に弾性変形される。
【００２８】
また、前記突片９４の各々は、前記リブ４２相互間に入り込まないよう、その外周面の幅寸法が設定され、複数のリブ４２の少なくとも一本に適正に圧接される。それにより、先軸３と後軸４との円滑な螺合操作が可能となる。
【００２９】
・面取り部
前記各々の突片９４の外周面の両側縁部には、リブ４２との周方向の引っ掛かりを防止する傾斜面状の面取り部９５が形成される。本実施例では、前記面取り部９５が比較的大きく設けられ、横断面において、突片９４の円周面状の外周面の周方向長さが、突片９４の円周面状の内周面の周方向長さより短く設定される（図２参照）。それにより、より一層、リブ４２との周方向の引っ掛かりを防止できる。尚、前記面取り部９５の形状は、傾斜面状の他、凸曲面状であってもよい。
【００３０】
また、本実施例は、軸筒２内にレフィル５を収容させた状態において、径方向に弾性変形した突片９４と突片９４が互いに密着せず、突片９４と突片９４の間に隙間を有する構成である。そのため、前記突片９４が径方向にさらに弾性変形可能である。それにより、筆記時に大きな筆圧が加わったとしても、突片９４の弾発力により、その筆圧を吸収することができる。
【００３１】
尚、本発明において、前記突片９４は、インキ収容筒８と一体に連設した構成でもよい。また、本発明において、前記ペン先６は、ボールペンチップに限らない。さらに、本発明において、前記ペン先６は、ペン先保持筒７を介さず、インキ収容筒８に直接、取り付けてもよい。
【００３２】
【発明の効果】
請求項１により、後軸の後端部内壁に、レフィル後端部の突片が圧接するための押圧壁部を設けたにもかかわらず、後軸の後端部にヒケを発生させず、後軸の外観をデザインする上での自由度が増加する。
【００３３】
請求項２により、先軸と後軸との螺合操作時のネジ締め力が増加することなく、円滑な螺合操作が可能となる。
【００３４】
請求項３により、先軸と後軸との螺合操作時のネジ締め力が増加することなく、より一層、円滑な螺合操作が可能となる。
【図面の簡単な説明】
【図１】本発明の一実施例を示す縦断面図である。
【図２】図１のＡ−Ａ線拡大端面図である。
【図３】図１のレフィルの後端部を示す拡大外観図である。
【符号の説明】
１  筆記具
２  軸筒
３  先軸
３１  先端部
３２  把持部
３３  雄ねじ部
３４  先端孔
３５  板状リブ（規制壁部）
４  後軸
４１  雌ねじ部
４２  リブ（押圧壁部）
５  レフィル
６  ペン先
７  ペン先保持筒
７１  前部
７２  後部
７３  鍔部（係止壁部）
７４  リブ
７５  溝
８  インキ収容筒
８１  インキ
８２  追従体
９  尾栓
９１  小径部
９２  大径部
９３  鍔部
９４  突片（弾性変形部）
９５  面取り部
９６  空気孔
【図１】
2004148617.tif 000003
【図２】
2004148617.tif 000004
【図３】
2004148617.tif 000005